(57)【要約】【課題】吹き出し口の長手方向において均一な整流効果が得られ、かつ空気圧損の増大による送風音や異音の発生を抑制できる空気調和機を提供することを目的とする。【解決手段】ケーシング２内に配設されたターボファン１７により前面側から吸い込んだ空気を半径方向に吹き出し、該空気をケーシング２に設けられている吹き出し口７，９から該吹き出し口７，９に配設されている複数枚の縦ルーバ２７，２８を介して室内へと吹き出す空気調和機１において、縦ルーバ２７のうち、吹き出し口７の長手方向のターボファン１７から吹き出される空調風Ａの方向と縦ルーバ２７との交差角が大きくなる一側部位または両側部位に配設されている縦ルーバ２７Ｂの吹き出し方向長さＬ２が、吹き出し口７の中央部位に配設されている縦ルーバ２７Ａの吹き出し方向長さＬ１よりも長くされている。【選択図】図２
2010085003.tif 000002
【特許請求の範囲】
【請求項１】
ケーシング内に配設されたターボファンを介して、前記ケーシングの前面側から吸い込んだ空気を半径方向に吹き出し、該空気を前記ケーシングに設けられている吹き出し口から該吹き出し口に配設されている複数枚の縦ルーバにより整流して室内へと吹き出す空気調和機において、
前記縦ルーバのうち、前記吹き出し口の長手方向の少なくとも前記ターボファンから吹き出される空調風の方向と前記縦ルーバとの交差角が大きくなる一側部位に配設されている前記縦ルーバの吹き出し方向長さが、前記吹き出し口の中央部位に配設されている前記縦ルーバの吹き出し方向長さよりも長くされていることを特徴とする空気調和機。
【請求項２】
ケーシング内に配設されたターボファンを介して、前記ケーシングの前面側から吸い込んだ空気を半径方向に吹き出し、該空気を前記ケーシングに設けられている吹き出し口から該吹き出し口に配設されている複数枚の縦ルーバにより整流して室内へと吹き出す空気調和機において、
前記縦ルーバのうち、前記吹き出し口の長手方向の両側部位に配設されている前記縦ルーバの吹き出し方向長さが、前記吹き出し口の中央部位に配設されている前記縦ルーバの吹き出し方向長さよりも長くされていることを特徴とする空気調和機。
【請求項３】
前記吹き出し口の長手方向の前記一側部位または前記両側部位に配設されている前記縦ルーバの吹き出し方向長さが、前記吹き出し口の中央部位に配設されている前記縦ルーバの吹き出し方向長さに対して数枚毎に段階的に長くされていることを特徴とする請求項１または２に記載の空気調和機。
【請求項４】
前記吹き出し口の長手方向の前記一側部位または前記両側部位に配設されている前記縦ルーバの吹き出し方向長さが、前記吹き出し口の中央部位に配設されている前記縦ルーバの吹き出し方向長さに対して中央部位から前記一側部位側または前記両側部位側にかけて漸次長くされていることを特徴とする請求項１または２に記載の空気調和機。
【請求項５】
前記吹き出し口が、前記ケーシングの上部および下部の２箇所に設けられ、少なくとも上部吹き出し口の長手方向の前記一側部位または前記両側部位に配設されている前記縦ルーバの吹き出し方向長さが、該上部吹き出し口の中央部位に配設されている前記縦ルーバの吹き出し方向長さよりも長くされていることを特徴とする請求項１ないし４のいずれかに記載の空気調和機。
【請求項６】
前記下部吹き出し口の長手方向の前記一側部位または前記両側部位に配設されている前記縦ルーバの吹き出し方向長さが、該下部吹き出し口の中央部位に配設されている前記縦ルーバの吹き出し方向長さよりも長くされていることを特徴とする請求項５に記載の空気調和機。
【発明の詳細な説明】
【技術分野】
【０００１】
本発明は、ターボファンを備え、該ターボファンにより半径方向に吹き出される空調風をケーシングの吹き出し口から該吹き出し口に配設されている複数枚の縦ルーバにより整流して室内へと吹き出す空気調和機に関するものである。
【背景技術】
【０００２】
従来から、ファンケースを必要としないターボファンを備え、該ターボファンによりケーシングの前面側から熱交換器を通して吸い込んだ空気を半径方向に吹き出し、この空調風を吹き出し口から該吹き出し口の長手方向に沿って配設されている複数枚の縦ルーバにより整流して室内へと吹き出すように構成した空気調和機が知られている。この空気調和機では、ターボファンの外周から接線方向に対して外向きに吹き出される空調風を、吹き出し口の長手方向に配設されている複数枚の縦ルーバにより整流して室内へと吹き出すようにしているが、複数枚の縦ルーバが同一形状とされているため、吹き出し口の長手方向において均一な整流効果が得られず、空調風の到達性が悪化する場合があった。
【０００３】
そこで、吹き出し口の長手方向に配設されている複数枚の縦ルーバについて、ターボファンの回転方向の後方側から前方側に向って順次湾曲を大きくし、あるいはそれに加えて隣接する縦ルーバ間の間隔を順次狭くすることによって、整流効果の改善および剥離による騒音の低減を図ったものが、特許文献１により提案されている。
【０００４】
【特許文献１】特開平１１−１８２９２１号公報
【発明の開示】
【発明が解決しようとする課題】
【０００５】
しかしながら、特許文献１に示されたものは、複数枚の縦ルーバの吹き出し方向長さがすべて同一寸法とされている。このため、ターボファンと吹き出し口との間の距離を短くすることによりコンパクト化を図っている構成のユニットでは、吹き出し口の中央部付近において、ターボファンと縦ルーバとの距離が近くなり過ぎ、空気圧損が増大して風量対比の騒音増加や異音（風切り音）の発生に繋がるという問題があった。
【０００６】
例えば、床置き上下２方向吹き出しの空気調和機では、ケーシングの上部および下部の２箇所にそれぞれ吹き出し口が設けられている。このタイプの空気調和機では、ユニットの高さ方向寸法が制約されることから、ケーシングの前面から上面にかけてのコーナー部分に斜め上方に向って設けられる上部吹き出し口とターボファンとの間の距離が短くなりがちである。このため、吹き出し口の中央部付近に配設される縦ルーバとターボファンとが接近しやすく、上記の問題が顕著に現れる傾向があった。
【０００７】
本発明は、このような事情に鑑みてなされたものであって、吹き出し口の長手方向において均一な整流効果が得られ、かつ空気圧損の増大による送風音や異音の発生を抑制することができる空気調和機を提供することを目的とする。
【課題を解決するための手段】
【０００８】
上記課題を解決するために、本発明の空気調和機は、以下の手段を採用する。
すなわち、本発明にかかる空気調和機は、ケーシング内に配設されたターボファンを介して、前記ケーシングの前面側から吸い込んだ空気を半径方向に吹き出し、該空気を前記ケーシングに設けられている吹き出し口から該吹き出し口に配設されている複数枚の縦ルーバにより整流して室内へと吹き出す空気調和機において、前記縦ルーバのうち、前記吹き出し口の長手方向の少なくとも前記ターボファンから吹き出される空調風の方向と前記縦ルーバとの交差角が大きくなる一側部位に配設されている前記縦ルーバの吹き出し方向長さが、前記吹き出し口の中央部位に配設されている前記縦ルーバの吹き出し方向長さよりも長くされていることを特徴とする。
【０００９】
本発明によれば、吹き出し口に配設されている複数枚の縦ルーバのうち、吹き出し口の長手方向の少なくともターボファンから吹き出される空調風の方向と縦ルーバとの交差角が大きくなる一側部位に配設されている縦ルーバの吹き出し方向長さが、吹き出し口の中央部位に配設されている縦ルーバの吹き出し方向長さよりも長くされているため、ターボファンの外周から接線方向に対して外向きに吹き出される空調風を、吹き出し口における吹き出し風の方向と縦ルーバとの交差角が大きくなる一側部位では、吹き出し方向長さが長くされている縦ルーバにより、吹き出し口に対して確実に直角方向前方に向け整流することができる。従って、吹き出し口の長手方向全長に亘り略均一な整流効果が得られ、空調風の到達性をアップさせることができ、また、左方向または右方向への吹き出しに際しても同様の効果を得ることができる。加えて、吹き出し口の中央部位に配設されている縦ルーバについては、特に吹き出し方向長さを長くする必要がなく、従って、縦ルーバをターボファンに対して空気圧損の増大による送風音や異音が発生しない限界付近まで接近させて配設することができ、ユニットの寸法制約に対しても十分に対応することができる。
【００１０】
さらに、本発明にかかる空気調和機は、ケーシング内に配設されたターボファンを介して、前記ケーシングの前面側から吸い込んだ空気を半径方向に吹き出し、該空気を前記ケーシングに設けられている吹き出し口から該吹き出し口に配設されている複数枚の縦ルーバにより整流して室内へと吹き出す空気調和機において、前記縦ルーバのうち、前記吹き出し口の長手方向の両側部位に配設されている前記縦ルーバの吹き出し方向長さが、前記吹き出し口の中央部位に配設されている前記縦ルーバの吹き出し方向長さよりも長くされていることを特徴とする。
【００１１】
本発明によれば、吹き出し口に配設されている複数枚の縦ルーバのうち、吹き出し口の長手方向の両側部位に配設されている縦ルーバの吹き出し方向長さが、吹き出し口の中央部位に配設されている縦ルーバの吹き出し方向長さよりも長くされているため、ターボファンの外周から接線方向に対して外向きに吹き出される空調風を、吹き出し口における両側部位では、吹き出し方向長さが長くされている縦ルーバにより、吹き出し口に対して確実に直角方向前方に向け整流することができる。従って、吹き出し口の長手方向全長に亘って略均一な整流効果が得られ、空調風の到達性をアップさせることができ、また、左方向または右方向への吹き出しに際しても同様の効果を得ることができる。加えて、吹き出し口の中央部位に配設されている縦ルーバについては、特に吹き出し方向長さを長くする必要がなく、従って、縦ルーバをターボファンに対して空気圧損の増大による送風音や異音が発生しない限界付近まで接近させて配設することができ、ユニットの寸法制約に対しても十分に対応することができる。
【００１２】
さらに、本発明の空気調和機は、上述のいずれかの空気調和機において、前記吹き出し口の長手方向の前記一側部位または両側部位に配設されている前記縦ルーバの吹き出し方向長さが、前記吹き出し口の中央部位に配設されている前記縦ルーバの吹き出し方向長さに対して数枚毎に段階的に長くされていることを特徴とする。
【００１３】
本発明によれば、吹き出し口の長手方向の一側部位または両側部位に配設されている縦ルーバの吹き出し方向長さが、吹き出し口の中央部位に配設されている縦ルーバの吹き出し方向長さに対して数枚毎に段階的に長くされているため、吹き出し口の一側部位または両側部位では、ターボファンから吹き出される空調風を、数枚毎に段階的に長くされた縦ルーバにより、吹き出し口に対して確実に直角方向前方に向け整流することができる。従って、吹き出し口の長手方向全長に亘ってより均一な整流効果を得ることができ、空調風の到達性をアップさせることができる。
【００１４】
さらに、本発明の空気調和機は、上記の空気調和機において、前記吹き出し口の長手方向の一側部位または両側部位に配設されている前記縦ルーバの吹き出し方向長さが、前記吹き出し口の中央部位に配設されている前記縦ルーバの吹き出し方向長さに対して中央部位から一側部位側または両側部位側にかけて漸次長くされていることを特徴とする。
【００１５】
本発明によれば、吹き出し口の長手方向の一側部位または両側部位に配設されている縦ルーバの吹き出し方向長さが、吹き出し口の中央部位に配設されている縦ルーバの吹き出し方向長さに対して中央部位から一側部位側または両側部位側にかけて漸次長くされているため、吹き出し口の一側部位または両側部位では、ターボファンから吹き出される空調風を、中央部位から一側部位側または両側部位側にかけて漸次長くされている縦ルーバにより、吹き出し口に対して確実に直角方向前方に向け整流することができる。従って、吹き出し口の長手方向全長に亘ってより均一な整流効果を得ることができ、空調風の到達性をアップさせることができる。
【００１６】
さらに、本発明の空気調和機は、上述のいずれかの空気調和機において、前記吹き出し口が、前記ケーシングの上部および下部の２箇所に設けられ、少なくとも上部吹き出し口の長手方向の一側部位または両側部位に配設されている前記縦ルーバの吹き出し方向長さが、該上部吹き出し口の中央部位に配設されている前記縦ルーバの吹き出し方向長さよりも長くされていることを特徴とする。
【００１７】
本発明によれば、吹き出し口がケーシングの上部および下部の２箇所に設けられ、少なくとも上部吹き出し口の長手方向の一側部位または両側部位に配設されている縦ルーバの吹き出し方向長さが、該上部吹き出し口の中央部位に配設されている縦ルーバの吹き出し方向長さよりも長くされているため、ケーシングの前面から上面にかけてのコーナー部に設けられ、ターボファンとの間の距離が短くなりがちな上部吹き出し口に配設されている縦ルーバのうち、上部吹き出し口の一側部位または両側部位に配設されている縦ルーバの吹き出し方向長さを長くし、その整流効果を高めることによって中央部位に配設されている縦ルーバの長さを最小限の長さに抑えることができる。従って、上部吹き出し口に配設されている縦ルーバをターボファンに対して空気圧損の増大による送風音や異音が発生しない限界まで接近させて配設することができ、ユニットの高さ方向の寸法制約に対しても十分に対応することができる。
【００１８】
さらに、本発明の空気調和機は、上記の空気調和機において、前記下部吹き出し口の長手方向の一側部位または両側部位に配設されている前記縦ルーバの吹き出し方向長さが、該下部吹き出し口の中央部位に配設されている前記縦ルーバの吹き出し方向長さよりも長くされていることを特徴とする。
【００１９】
本発明によれば、下部吹き出し口の長手方向の一側部位または両側部位に配設されている縦ルーバの吹き出し方向長さが、該下部吹き出し口の中央部位に配設されている縦ルーバの吹き出し方向長さよりも長くされているため、下部吹き出し口の長手方向の一側部位または両側部位に配設されている吹き出し方向長さが長くされている縦ルーバにより、下部吹き出し口から吹き出される空調風の整流効果を高めることができる。従って、暖房運転での温風吹き出し時において、下部吹き出し口から吹き出される温風の到達性をアップさせ、より快適な暖房を実現することが可能となる。
【発明の効果】
【００２０】
本発明によると、ターボファンの外周から接線方向に対して外向きに吹き出される空調風を、吹き出し口の一側部位または両側部位では、吹き出し方向長さが長くされている縦ルーバにより、吹き出し口に対してより確実に直角方向前方に向け整流することができるため、吹き出し口の長手方向全長に亘り略均一な整流効果が得られ、空調風の到達性をアップさせることができ、また、左方向または右方向への吹き出し時にも同様の効果を得ることができる。加えて、吹き出し口の中央部位に配設されている縦ルーバについては、特に吹き出し方向長さを長くする必要がなく、従って、縦ルーバをターボファンに対して空気圧損の増大による送風音や異音が発生しない限界付近まで接近させて配設することができ、ユニットの寸法制約に対しても十分に対応することができる。
【発明を実施するための最良の形態】
【００２１】
以下に、本発明にかかる実施形態について、図面を参照して説明する。
［第１実施形態］
以下、本発明の第１実施形態について、図１ないし図４を用いて説明する。
図１には、本発明の第１実施形態に係る空気調和機のターボファンの回転中心を通る縦断面図が示され、図２には、そのターボファンおよび上部吹き出し口側の縦ルーバの配設位置付近における縦断面図が示されている。空気調和機１としては、上下２方向吹き出しタイプの床置き形空気調和機の例が示されており、該空気調和機１は、ベース３と前面パネル４とによって構成された横長長方形状のケーシング２を備えている。
【００２２】
前面パネル４の前面には、室内の空気を吸い込む吸い込み口５が開口されており、該吸い込み口５には、吸い込みグリル６が設けられている。また、前面パネル４の前面から上にかけてのコーナー部分には、上部吹き出し口７が幅方向に水平に開口されており、該上部吹き出し口７は、開口部に回動自在に設置されている水平ルーバ８によって開閉可能とされている。さらに、前面パネル４の下方部には、下部吹き出し口９が幅方向に水平に開口され、該下部吹き出し口９は、開口部に回動自在に設置されている水平ルーバ１０によって開閉可能とされている。
【００２３】
ケーシング２内において、吸い込みグリル６の背後には、エアーフィルタ１１が着脱自在に配設され、その背後には、プレートフィンチューブタイプの室内熱交換器１２が固定設置されている。室内熱交換器１２は、図示省略されている室外ユニット側の機器と冷媒配管を介して接続されることにより公知の冷凍サイクルを構成している。室内熱交換器１２の下部には、ドレンパン１３が配設されており、冷房および除湿運転時に室内熱交換器１２の表面で結露し落下するドレン水を受け、図示省略のドレンホースを介して外部に排出できる構成とされている。
【００２４】
室内熱交換器１２の下流側には、該室内熱交換器１２を流通した空気をその下流側に設置されているターボファン１７に導くためのベルマウス１４が、室内熱交換器１２と一体化されてケーシング２内に固定設置されている。ベルマウス１４の中央部には、ターボファン１７と対向するように吸い込み部１５が形成され、該吸い込み部１５には円形のベル形状とされた吸い込み口１６が開口されている。また、ベルマウス１４の下流には、ベル形状とされた状吸い込み口１６に対向するようにターボファン１７が設置されている。
【００２５】
ターボファン１７は、主板１８とシュラウド１９と複数枚のブレード２０とから構成されており、主板１８の中心部がベース３上に固定設置されているモータ２１の回転軸２２先端に固定されることにより、モータ２１を介して水平軸周りに回転駆動されるようになっている。ターボファン１７を介してラジアル方向に吹き出される空調風Ａは、図２に矢印で示されるように、ターボファン１７の外周から接線方向に対して外向きに或る角度をもって吹き出されるようになる。
【００２６】
また、ターボファン１７から吹き出された空調風Ａを上部吹き出し口７および下部吹き出し口９に導くための導風路２３，２４が、ベース３とベルマウス１４との間に形成されている。ベース３には、上部吹き出し口７および下部吹き出し口９に対応して各吹き出し口７，９にターボファン１７から吹き出された空調風Ａをガイドするノーズ部２５，２６が一体に成形されている。上部側の導風路２３には、上部吹き出し口７の長手方向に沿って複数枚の縦ルーバ２７が互いに連結されて縦軸周りに回動可能に設置され、また、下部側の導風路２４には、下部吹き出し口９の長手方向に沿って複数枚の縦ルーバ２８が互いに連結されて縦軸周りに回動可能に設置されている。
【００２７】
上部側の導風路２３は、上部吹き出し口７がケーシング２の前面から上面にかけてのコーナー部に設けられていることから、ターボファン１７の外周部からの距離が下部側の導風路２４に比べて短くなっている。このため、縦ルーバ２７の一部は、ターボファン１７の外周に接近して設置されている。縦ルーバ２７，２８は、ターボファン１７の外周から接線方向に対して外向きに或る角度で吹き出される空調風Ａを整流し、吹き出し口７，９に対して直角方向前方、あるいは左方向または右方向に向け吹き出す機能を担っている。
【００２８】
従って、縦ルーバ２７，２８による整流効果が、吹き出し口７，９の長手方向において不均一であったり、整流効果が不十分であったりすると、吹き出された空調風Ａの到達性が悪化することになる。一方、整流効果を高めるためには、縦ルーバ２７，２８の吹き出し方向に沿う長さを長くすればよいが、ターボファン１７の外周と接近している状態で縦ルーバ２７，２８を長くすると、空気圧損が増大し騒音増加や異音(風切り音)発生の要因となる。そこで、本実施形態では、上部側の風路２３に設置されている複数枚の縦ルーバ２７を以下のような構成としている。
【００２９】
上部側の導風路２３に設置されている複数枚の縦ルーバ２７のうち、上部吹き出し口７の長手方向の両側部位に配設されている複数枚の縦ルーバ２７Ｂの吹き出し方向長さＬ２を、上部吹き出し口７の長手方向の中央部位に配設されている複数枚の縦ルーバ２７Ａの吹き出し方向長さＬ１よりも長くした構成としている。図３には、吹き出し方向に沿う長さＬ１が縦ルーバ２７Ｂよりも短くされた縦ルーバ２７Ａの側面図が示され、図４には、吹き出し方向に沿う長さＬ２が縦ルーバ２７Ａよりも長くされた縦ルーバ２７Ｂの側面図が示されている。
【００３０】
なお、上記例では、上部吹き出し口７の中央部位に配設される複数枚の縦ルーバ２７Ａの長さＬ１に対して、両側部位に配設される複数枚の縦ルーバ２７Ｂの長さＬ２を１段階長くしているが、両側部位に配設される複数枚の縦ルーバ２７Ｂの長さＬ２を数枚毎に２段階以上で段階的に長くするようにしてもよいし、あるいは上部吹き出し口７に配設される複数枚の縦ルーバ２７の吹き出し方向に沿う長さＬ２を中央部位から両側部位側にかけて漸次長くするようにしてもよい。
【００３１】
以上に説明の構成により、本実施形態によれば、以下の作用効果を奏する。
空気調和機１の運転開始によりターボファン１７が回転されると、室内の空気が吸い込み口５から吸い込みグリル６を介してケーシング２内に吸い込まれる。この空気は、エアーフィルタ１１で塵埃が除去された後、室内熱交換器１２を通過する過程で冷媒と熱交換されることによって冷却または加熱され、その下流側に設けられているベルマウス１４により案内されてベル形状の吸い込み口１６からターボファン１７に吸い込まれる。
【００３２】
ターボファン１７により昇圧され、その外周部からラジアル方向に吹き出された空調風Ａは、ターボファン１７の外周から接線方向に対して外向きに或る角度をもって吹き出される。この空調風Ａは、ノーズ部２５，２６によりガイドされながら、導風路２３，２４を経て上部吹き出し口７および／または下部吹き出し口９に導かれ、室内へと吹き出されることによって冷房または暖房に供される。空調風Ａの室内への吹き出しは、吹き出しモードに応じて上部吹き出し口７および下部吹き出し口９の双方、またはそのいずれか一方から選択的に吹き出される。
【００３３】
ここで、上部吹き出し口７から空調風Ａを吹き出す場合について説明する。
上部吹き出し口７は、水平方向に長くされており、ターボファン１７から上部吹き出し口７に向って吹き出される空調風Ａの角度は、上部吹き出し口７の長手方向位置によって異なる。縦ルーバ２７は、この空調風Ａの向きを整流し、上部吹き出し口７に対して直角方向前方、あるいは左方向または右方向に向けて吹き出すように機能する。この際、ターボファン１７から吹き出される空調風Ａの吹き出し角度の関係から、上部吹き出し口７の長手方向の両側部位に配設されている縦ルーバ２７Ｂの整流効果を高くしないと、長手方向において均一な整流効果が得られない。
【００３４】
しかるに、本実施形態によれば、上部吹き出し口７に配設されている複数枚の縦ルーバ２７のうち、上部吹き出し口７の長手方向の両側部位に配設されている縦ルーバ２７Ｂの吹き出し方向長さＬ２を、上部吹き出し口７の中央部位に配設されている縦ルーバ２７Ａの吹き出し方向長さＬ１よりも長くしているため、ターボファン１７から吹き出された空調風Ａを上部吹き出し口７の両側部位では吹き出し方向長さＬ２が長くされている縦ルーバ２７Ｂによって、上部吹き出し口７に対してより確実に直角方向前方、あるいは左方向または右方向に向け整流することができる。
【００３５】
これによって、上部吹き出し口７の長手方向全長に亘り略均一な整流効果が得られ、空調風Ａの到達性をアップさせ、快適な空調を実現することができる。また、上部吹き出し口７の中央部位に配設されている縦ルーバ２７Ａについては、吹き出し方向長さＬ１を縦ルーバ２７Ｂほど長くする必要はなく、最小限の長さに抑えることができる。従って、縦ルーバ２７Ａをターボファン１７に対して空気圧損の増大による送風音や異音が発生しない限界付近まで接近させて配設することができ、ユニットの高さ方向の寸法制約に対しても十分に対応することができる。
【００３６】
また、上部吹き出し口７の両側部位に配設される複数枚の縦ルーバ２７Ｂの長さＬ２を数枚毎に２段階以上で段階的に長くする、あるいは上部吹き出し口７に配設される複数枚の縦ルーバ２７の吹き出し方向に沿う長さＬ２を中央部位から両側部位側にかけて漸次長くすることでも、縦ルーバ２７による整流効果を上部吹き出し口７の長手方向全長に亘って均一化することが可能であり、これによっても、空調風Ａの到達性を一段とアップすることができる。
【００３７】
［第２実施形態］
次に、本発明の第２実施形態について説明する。
本実施形態では、上記した第１実施形態に対して、縦ルーバ２７のうち、上部吹き出し口７の長手方向の少なくともターボファン１７から吹き出される空調風Ａの方向と縦ルーバ２７との交差角が大きくなる一側部位に配設されている縦ルーバ２７Ｂのみの吹き出し方向長さを長くしている点が異なる。その他の点については、第１実施形態と同様であるので説明は省略する。
【００３８】
つまり、第１実施形態では、縦ルーバ２７のうち、上部吹き出し口７の長手方向の両側部位に配設されている縦ルーバ２７Ｂの吹き出し方向長さを、上部吹き出し口７の中央部位に配設されている縦ルーバ２７Ａの吹き出し方向長さよりも長くしている。しかし、特に整流効果を高めなければならないのは、図２にも示されるように、ターボファン１７の外周部から吹き出される空調風Ａが接線方向に対して外向きに或る角度をもっていることから、この空調風Ａの方向と縦ルーバ２７との交差角が大きくなる吹き出し口７の中央部位よりも図示右側サイドの一側部位に配設されている縦ルーバ２７Ｂである。
【００３９】
そこで、本実施形態では、縦ルーバ２７のうち、上部吹き出し口７の長手方向の少なくともターボファン１７から吹き出される空調風Ａの方向と縦ルーバ２７との交差角が大きくなる一側部位に配設されている縦ルーバ２７Ｂ、すなわち上部吹き出し口７の長手方向の中央部位よりもターボファン１７から吹き出される空調風Ａの吹き出し方向前方部位に配設されている縦ルーバ２７Ｂのみの吹き出し方向長さＬ２を、上部吹き出し口７の中央部位に配設されている縦ルーバ２７Ａの吹き出し方向長さＬ１よりも長くした構成としている。
【００４０】
上記のように、ターボファン１７から吹き出される空調風Ａの方向と縦ルーバ２７との交差角が大きくなる一側部位に配設されている縦ルーバ２７Ｂのみの吹き出し方向長さＬ２を中央部位の縦ルーバ２７Ａの長さＬ１よりも長くした構成とすることにより、ターボファン１７の外周から接線方向に対して外向きに吹き出される空調風Ａを、該空調風Ａの方向と縦ルーバ２７との交差角が特に大きくなる吹き出し口サイドにおいて、吹き出し方向の長さが長くされている縦ルーバ２７Ｂによって、確実に直角方向前方に向け整流することができる。
【００４１】
従って、本実施形態においても、上部吹き出し口７の長手方向全長に亘って略均一な整流効果が得られ、空調風の到達性をアップさせることができ、また、左方向または右方向への吹き出しに際しても同様の効果を得ることができる。加えて、吹き出し口の中央部位に配設されている縦ルーバについては、特に吹き出し方向長さを長くする必要がなく、従って、縦ルーバをターボファンに対して空気圧損の増大による送風音や異音が発生しない限界付近まで接近させて配設することができ、ユニットの寸法制約に対しても十分に対応することができるという第１実施形態と同様の効果を得ることができる。
【００４２】
［第３実施形態］
次に、本発明の第３実施形態について説明する。
上記第１および第２実施形態では、上部吹き出し口７に配設されている縦ルーバ２７について、中央部位に配設される縦ルーバ２７Ａと、両側部位または空調風Ａの方向と縦ルーバ２７との交差角が大きくなる一側部位に配設される縦ルーバ２７Ｂとの吹き出し方向長さＬ１，Ｌ２を異なる長さとし、下部吹き出し口９に配設されている複数枚の縦ルーバ２８については、すべて同一長さのルーバとしている。これは、導風路２４の距離が導風路２３の距離に比べて長く、縦ルーバ２８とターボファン１７との間に一定の距離を確保できることから、縦ルーバ２８の吹き出し方向長さを縦ルーバ２７Ｂの長さよりも若干長めに設定し、全体として整流効果を高めるようにするためである。
【００４３】
しかして、本実施形態では、上記の構成にもかかわらず、下部吹き出し口９に配設されている複数枚の縦ルーバ２８について、上記した第１および第２実施形態と同様に、下部吹き出し口９の長手方向の両側部位または空調風Ａの方向と縦ルーバ２８との交差角が大きくなる一側部位に配設される縦ルーバ２８の吹き出し方向長さを、下部吹き出し口９の中央部位に配設される縦ルーバ２８の吹き出し方向長さよりも長くした構成としている。
【００４４】
このような構成とすることにより、下部吹き出し口９の長手方向の両側部位または空調風Ａの方向と縦ルーバ２８との交差角が大きくなる一側部位に配設される吹き出し方向長さが長くされた縦ルーバ２８を介して、下部吹き出し口９から吹き出される空調風Ａの整流効果を高めることができる。これによって、暖房運転での温風吹き出し時において、下部吹き出し口９から吹き出される温風の到達性をアップさせ、より快適な暖房を実現することが可能となる。
【００４５】
なお、本発明は、上記実施形態にかかる発明に限定されるものではなく、その要旨を逸脱しない範囲において、適宜変形が可能である。例えば、上記実施形態では、上下２方向吹き出しの床置き形空気調和機の例について説明したが、本発明は、床置き形や上下２方向吹き出しの空気調和機に限定されるものではない。
【００４６】
また、水平ルーバ８，１０および／または縦ルーバ２７，２８については、それぞれ回動可能とされているが、回動方法については手動または電動のいずれであってもよい。さらに、ケーシング２については、横長長方形状とした例について説明したが、正方形状や縦長形状であってもよい。
【図面の簡単な説明】
【００４７】
【図１】本発明の第１実施形態に係る空気調和機のターボファンの回転中心を通る縦断面図である。
【図２】図１に示す空気調和機のターボファンおよび上部吹き出し口側の縦ルーバの配設位置付近における縦断面図である。
【図３】図１に示す空気調和機の上部吹き出し口の中央部位に配設される縦ルーバの側面図である。
【図４】図１に示す空気調和機の上部吹き出し口の両側部位に配設される縦ルーバの側面図である。
【符号の説明】
【００４８】
１  空気調和機
２  ケーシング
７  上部吹き出し口
９  下部吹き出し口
１７  ターボファン
２７  縦ルーバ
２７Ａ  中央部位に配設される縦ルーバ
２７Ｂ  一側部位または両側部位に配設される縦ルーバ
２８  縦ルーバ
Ｌ１  縦ルーバ２７Ａの長さ
Ｌ２  縦ルーバ２７Ｂの長さ
【図１】
2010085003.tif 000003
【図２】
2010085003.tif 000004
【図３】
2010085003.tif 000005
【図４】
2010085003.tif 000006